(57)【要約】      （修正有）【課題】鏡胴にコンバータレンズが取り付けられた際に、指標で指し示される焦点距離と実際の焦点距離とを一致させることができるレンズ装置を提供する。【解決手段】鏡胴に設けられたセンサ６３がコンバータレンズ側のバーコード１５Ａを読み取ると、ＣＰＵ３４は鏡胴１４に標準コンバータレンズ１２Ａが取り付けられたと判断し、メモリ３５に記録されている標準コンバータレンズ１２Ａに対応した焦点距離の数値情報を読み出してＬＣＤ駆動回路６２に出力する。これにより、目盛り表示用ＬＣＤ６０には、標準コンバータレンズ１２Ａの焦点距離に対応した数値が表示される。【選択図】      図１
2006201695.tif 000002
【特許請求の範囲】
【請求項１】
鏡胴に着脱自在に取り付けられる複数種類のコンバータレンズと、
前記鏡胴に設けられるとともに目盛り又は数値を表示する表示手段と、
前記鏡胴に取り付けられるコンバータレンズの種類に応じて前記表示手段に表示される目盛り又は数値を変更する制御部と、
を備えたことを特徴とするレンズ装置。
【請求項２】
前記コンバータレンズは、焦点距離を変更するワイドコンバータレンズ、テレコンバータレンズであり、
前記鏡胴に前記ワイドコンバータレンズが取り付けられると、前記制御部はワイドコンバータレンズに対応する焦点距離の目盛り又は数値を前記表示手段に表示させ、
前記鏡胴に前記テレコンバータレンズが取り付けられると、前記制御部はテレコンバータレンズに対応する焦点距離の目盛り又は数値を前記表示手段に表示させることを特徴とする請求項１に記載のレンズ装置。
【発明の詳細な説明】
【技術分野】
【０００１】
本発明はレンズ装置に係り、特にワイドコンバータレンズ、テレコンバータレンズ等のコンバータレンズが着脱自在に取り付けられるレンズ装置に関する。
【背景技術】
【０００２】
撮影レンズの前群レンズの全部又は一部を、ワイドコンバータレンズ若しくはテレコンバータレンズに交換し、ワイド側若しくはテレ側に焦点距離を変更する前玉交換式レンズ装置が知られている（例えば、特許文献１）。
【０００３】
一方、レンズ装置の焦点距離調整は、レンズ装置の鏡胴に回動自在に設けられたズームリングを回動操作することにより行われるのが一般的である。このようなレンズ装置の鏡胴の外周面には、焦点距離を示すｍｍ単位の数値が刻印された目盛りが付され、また、ズームリングには指標が付されており、ズームリングを回動した際に、この指標が指す数値を見ることにより現在の焦点距離を確認することができる。
【特許文献１】特開２００１−３３３３１５号公報
【発明の開示】
【発明が解決しようとする課題】
【０００４】
しかしながら、焦点距離を示す数値が刻印されたレンズ装置においては、ワイドコンバータレンズ又はテレコンバータレンズが取り付けられると、焦点距離が変更されたにもかかわらず数値はそのままであるために、指標で示される焦点距離が実際の焦点距離とは異なるという問題があった。
【０００５】
本発明は、このような事情に鑑みてなされたもので、コンバータレンズが取り付けられた際に、指標で示される焦点距離と実際の焦点距離とを一致させることができるレンズ装置を提供することを目的とする。
【課題を解決するための手段】
【０００６】
請求項１に記載の発明は、前記目的を達成するために、鏡胴に着脱自在に取り付けられる複数種類のコンバータレンズと、前記鏡胴に設けられるとともに目盛り又は数値を表示する表示手段と、前記鏡胴に取り付けられるコンバータレンズの種類に応じて前記表示手段に表示される目盛り又は数値を変更する制御部と、を備えたことを特徴としている。
【０００７】
請求項１に記載の発明によれば、鏡胴に所定のコンバータレンズが取り付けられると、制御部は、そのコンバータレンズの種類を読み取り、そのコンバータレンズに対応した目盛り又は数値を表示手段に表示させる。これにより、指標で示される焦点距離と実際の焦点距離とが一致する。
【０００８】
請求項２に記載の発明は、請求項１に記載の発明において、前記コンバータレンズは、焦点距離を変更するワイドコンバータレンズ、テレコンバータレンズであり、前記鏡胴に前記ワイドコンバータレンズが取り付けられると、前記制御部はワイドコンバータレンズに対応する焦点距離の目盛り又は数値を前記表示手段に表示させ、前記鏡胴に前記テレコンバータレンズが取り付けられると、前記制御部はテレコンバータレンズに対応する焦点距離の目盛り又は数値を前記表示手段に表示させることを特徴としている。
【０００９】
請求項２に記載の発明によれば、鏡胴にワイドコンバータレンズが取り付けられると、制御部はワイドコンバータレンズに対応する焦点距離の目盛り又は数値を表示手段に表示させ、また、鏡胴にテレコンバータレンズが取り付けられると、制御部はテレコンバータレンズに対応する焦点距離の目盛り又は数値を前記表示手段に表示させる。これにより、ワイドコンバータレンズ、テレコンバータレンズが鏡胴に取り付けられた際に、指標で示される焦点距離と実際の焦点距離とが一致する。
【発明の効果】
【００１０】
本発明に係るレンズ装置によれば、鏡胴に所定のコンバータレンズが取り付けられると、制御部は、そのコンバータレンズの種類を読み取り、そのコンバータレンズに対応した目盛り又は数値を表示手段に表示させるので、指標で示される焦点距離と実際の焦点距離とを一致させることができる。
【発明を実施するための最良の形態】
【００１１】
以下、添付図面に従って本発明に係るレンズ装置の好ましい実施の形態について詳説する。
【００１２】
図１は、本発明の実施の形態に係るレンズ装置１０の要部側面図であり、前玉レンズとして標準のレンズを有する標準コンバータレンズ１２Ａが鏡胴１４に取り付けられた側面図である。また、図２は、レンズ装置１０のズームレンズの操作に用いられるレンズ操作装置を示した構成図である。更に、図３は、鏡胴１４から標準コンバータレンズ１２Ａが取り外された側面図であり、図４は、標準コンバータレンズ１２Ａに代えてワイドコンバータレンズ１２Ｂが鏡胴１４に取り付けられようとする側面図である。
【００１３】
図２に示すようにレンズ装置１０の鏡胴１４内には、前方からフォーカスレンズ１６、ズームレンズ１８、絞り２０、マスターレンズ２２が順に配設される。また、鏡胴１４に標準コンバータレンズ１２Ａが取り付けられた場合には、フォーカスレンズ１６の前方に標準の前玉レンズ１３Ａが配置され、鏡胴１４にワイドコンバータレンズ１２Ｂが取り付けられた場合には、フォーカスレンズ１６の前方にワイド用の前玉レンズ１３Ｂが配置される。そして、マスターレンズ２０の後方には、カメラ部２４のＣＣＤ２６が配設される。したがって、レンズ１３Ａ又は１３Ｂ、及びレンズ１４、１６、１８、２２を通過した被写体光は、ＣＣＤ２６の受光面に結像され、ＣＣＤ２６によって電気信号に変換される。
【００１４】
ＣＣＤ２６から出力された電気信号は、撮像回路２８に入力され、撮像回路２８によって映像信号に生成される。そして、この映像信号は、カメラの電子ビューファインダ３０や外部映像表示装置３２に出力される。これにより、電子ビューファインダ３０や外部映像表示装置３２には撮影中の映像が表示される。
【００１５】
また、レンズ装置１０には、ズームレンズ１８の駆動制御を行うＣＰＵ（中央演算処理装置：制御部）３４が搭載される。このＣＰＵ３４には、図１に示すズームリング３６のロータリーエンコーダ３８（以下、単にエンコーダ３８という。）が、ロータリーエンコーダカウンタ４０（以下、単にカウンタ４０という。）を介して接続される。
【００１６】
エンコーダ３８は、ズームリング３６が回転操作されると、その回転操作による回転量（回転角度）及び回転方向に対応したパルス信号をカウンタ４０に出力する。カウンタ４０は、エンコーダ３８から出力されたパルス信号に基づいてアップカウント又はダウンカウントし、ズームリング３６の回転角度及び回転方向を数値化する。
【００１７】
ＣＰＵ３４は、カウンタ４０から適宜カウント値を読み出しズームリング３６の回転角度及び回転方向を検出する。
【００１８】
また、ＣＰＵ３４には、モーター駆動回路４２がＤ／Ａコンバータ４４を介して接続される。ＣＰＵ３４は、カウンタ４０のカウント値によって検出したズームリング３６の回転角度及び回転方向に基づいてズームレンズ１６の移動位置を指示する制御信号をＤ／Ａコンバータ４４を介してモーター駆動回路４２に出力する。
【００１９】
モーター駆動回路４２は、入力した制御信号に基づいてステッピングモーター４６を駆動してズームレンズ１８を移動させるとともに、ポテンショメータ４８によってズームレンズ１８の位置を検出し、ズームレンズ１８を制御信号が示す位置まで移動させる。なお、ズームレンズ１８は、ＣＰＵ３４から出力された制御信号の電圧（コントロール電圧）と、ズームレンズ１８の位置を示すポテンショータ４８の電圧が等しくなる位置にズームレンズ１８を移動させる。
【００２０】
また、ＣＰＵ３４は、レンズ装置１０の電源スイッチ５０がＯＮされると、ズームレンズ１８をワイド端に位置させる制御信号をＤ／Ａコンバータ４４を介してモーター駆動回路４２に出力する。したがって、電源スイッチ５０をＯＮにすると、ズームレンズ１８がワイド端に自動で位置し、ここがホームポジションとなる。
【００２１】
ここで、ズームリング３６の回転角度及び回転方向に基づいてズームレンズ１８の移動位置を求めるＣＰＵ３４の処理手順について説明する。
【００２２】
図２に示すようにＣＰＵ３４には設定手段５２が接続される。この設定手段５２は、ズームリング３６の回転角度に対するズームレンズ１８の移動位置を示すレンズ移動曲線を設定する手段であり、設定手段５２によって設定されるレンズ移動曲線の一例を図５に示す。同図にＡの直線で示すように、通常は、所定の基準点からのズームリング３６の回転角度に対してズームレンズ１８がワイド端からテレ端まで比例して移動するように設定される。なお、本実施の形態の場合、ズームリング３６の回転角度を検出するためにエンコーダ３８を使用しているため、ズームリング３６の回転角度に端点は存在しないが、ズームレンズ１８がワイド端に位置したとき、すなわち、ホームポジションに位置したときのズームリング３６の位置を前記基準点とし、この点を回転角度０とする。
【００２３】
通常用いられるレンズ移動曲線Ａに対して、図５のＢに示すレンズ移動曲線は、ズームリング３６の回転角度の狭い範囲でズームレンズ１８がワイド端からテレ端まで移動し、かつ、ワイド側よりテレ側において滑らかにズームレンズ１８が移動するように設定されている。レンズ移動曲線Ｂによれば、ズームリング３６の少ない操作量でズームレンズ１８をワイド端からテレ端まで高速で移動させることができる。
【００２４】
このようにズームレンズ１８のレンズ移動曲線は設定手段によって任意に設定することができ、設定されたレンズ移動曲線は、ＣＰＵ３４内のメモリ３５に記録される。ＣＰＵ３４は、カウンタ４０からズームリング３６の回転角度を検出すると、図２に示すようにポテンショメータ４８からＡ／Ｄコンバータ５４を介してズームレンズ１８の現在位置を検出し、ズームリング３６の回転角度とズームレンズ１８の現在位置とからズームレンズ１８の移動位置をメモリ３５に記録したレンズ移動曲線を参照して求める。そして、ズームレンズ１８の移動位置を示す制御信号を上述のようにＤ／Ａコンバータ４４を介してモーター駆動回路４２に出力する。これにより、ズームレンズ１８は、ズームリング３６の回転操作に連動してレンズ移動曲線に基づいて移動する。
【００２５】
ところで、ズームリング３６の回転角度を回転制止端の存在しないエンコーダ３８で検出する場合には、カメラマンはズームレンズ１８のワイド端からテレ端までの可変範囲の位置を検知することが困難となる。
【００２６】
このため、図２に示すようにＣＰＵ３４には、これを検知させるためのＬＥＤ表示装置５６が接続されている。ＣＰＵ３４は、ポテンショメータ４８からＡ／Ｄコンバータ５４を介して検出されるズームレンズ１８の現在位置に基づき、その現在位置に対応するＬＥＤ表示装置５６の複数のＬＥＤ５６Ａ、５６Ｂ、５６Ｃ、５６Ｄ、５６Ｅ、５６Ｆ、５６Ｇ、５６Ｈ、５６Ｉのうち一つのＬＥＤを点灯させるようにＬＥＤ駆動回路５８を制御する。これにより、点灯したＬＥＤが焦点距離を指し示す指標となる。
【００２７】
また、ＬＥＤ表示装置５６は、図１の如くズームリング３６近傍の鏡胴１４の外表面に設けられるとともに、ＬＥＤ５６Ａ〜５６Ｉがズームリング３６の回動方向に沿って並設されている。
【００２８】
そして、ＬＥＤ表示装置５６の近傍の鏡胴１４には、ズームレンズ１８の移動位置、すなわち、焦点距離を数値「４５、３０、１８、９、４．５」で示した目盛り表示用ＬＣＤ（表示手段）６０がズームリング３６の回動方向に沿って設けられている。
【００２９】
したがって、図２に示したＣＰＵ３４は、例えばズームレンズ１８が４．５ｍｍ（ワイド端位置）にある場合には、ＬＥＤ５６Ａを点灯又は点滅させ、９ｍｍの位置にある場合にはＬＥＤ５６Ｃを点灯又は点滅させ、１８ｍｍの位置にある場合にはＬＥＤ５６Ｅを点灯又は点滅させ、３０ｍｍの位置にある場合にはＬＥＤ５６Ｇを点灯又は点滅させ、４５ｍｍ（テレ端位置）にある場合にはＬＥＤ５６Ｉを点灯又は点滅させるようにＬＥＤ駆動回路５８を制御する。
【００３０】
このように構成されたレンズ装置１０によれば、ズームリング３６を回動操作してズームレンズ１８を移動させ、ズームレンズ１８の移動位置をポテンショメータ４８によって検出すると、ＣＰＵ３４は、その移動位置に基づいて、その移動位置に対応するＬＥＤ表示装置５６のＬＥＤ５６Ａ〜５６Ｉのうちの一つのＬＥＤを点灯又は点滅制御する。カメラマンは、点灯又は点滅したＬＥＤ５６Ａ〜５６Ｉのうちの一つのＬＥＤを確認し、そのＬＥＤが指し示す目盛り表示用ＬＣＤ６０の数値を見ることにより、ズームレンズ１８の現在の移動位置、すなわち、現在の焦点距離をレンズ装置１０の外観から確認することができる。
【００３１】
ところで、目盛り表示用ＬＣＤ６０は、ＣＰＵ３４がＬＣＤ駆動回路６２を制御することにより、表示する数値が変更される。ＣＰＵ３４のメモリ３５には、標準コンバータレンズ１２Ａに対応した焦点距離の数値情報、ワイドコンバータレンズ１２Ｂに対応した焦点距離の数値情報、及びテレコンバータレンズ（不図示）に対応した焦点距離の数値情報が記録されている。また、鏡胴１４のコンバータレンズ取付部には、鏡胴１４に取り付けられるコンバータレンズの種類を光学的に読み取るセンサ６３が設けられるとともに、コンバータレンズ１２Ａ、１２Ｂ側には、センサ６３にて読み取られるバーコード１５Ａ、１５Ｂが取り付けられている。なお、コンバータレンズを読み取る手段は、センサ、バーコードに限定されるものではない。
【００３２】
したがって、センサ６３がバーコード１５Ａを読み取ると、ＣＰＵ３４は鏡胴１４に標準コンバータレンズ１２Ａが取り付けられたと判断し、メモリ３５に記録されている標準コンバータレンズ１２Ａに対応した焦点距離の数値情報を読み出してＬＣＤ駆動回路６２に出力する。これにより、目盛り表示用ＬＣＤ６０には図１の如く、標準コンバータレンズ１２Ａの焦点距離に対応した数値（４５、３０、１８、９、４．５）が表示される。また、センサ６３がバーコード１５Ｂを読み取ると、ＣＰＵ３４は鏡胴１４にワイドコンバータレンズ１２Ｂが取り付けられたと判断し、メモリ３５に記録されているワイドコンバータレンズ１２Ｂに対応した焦点距離の数値情報を読み出してＬＣＤ駆動回路６２に出力する。これにより、目盛り表示用ＬＣＤ６０には図４の如く、ワイドコンバータレンズ１２Ｂの焦点距離に対応した数値（３６、２５、１４、７、３．６）が表示される。
【００３３】
したがって、実施の形態のレンズ装置１０によれば、ＬＥＤ装置５６の点灯又は点滅したＬＥＤ（指標）で指し示される焦点距離と実際の焦点距離とを一致させることができる。
【００３４】
なお、図示していないが、鏡胴１４にテレコンバータレンズが取り付けられると、センサ６３がテレコンバータレンズのバーコードを読み取り、ＣＰＵ３４はメモリ３５に記録されているテレコンバータレンズに対応した焦点距離の数値情報を読み出してＬＣＤ駆動回路６２に出力する。これにより、目盛り表示用ＬＣＤ６０には、テレコンバータレンズの焦点距離に対応した数値が表示される。
【００３５】
また、実施の形態では、ズームレンズ１８について説明したが、フォーカスレンズ１６においても同様の回路構成で実現できる。すなわち、図１の如く鏡胴１４に対してエンドレスで回転するフォーカスリング６４の近傍にＬＥＤ表示装置６６を設け、ＬＥＤ表示装置６６を構成する複数のＬＥＤのうち、その撮影距離に対応するＬＥＤをＣＰＵ３４により点灯又は点滅制御してもよい。そして、ＬＥＤ表示装置６６に隣接した目盛り板を目盛り表示用ＬＣＤ６８として、その表示用ＬＣＤ６８に表示される数値をコンバータレンズの種類に応じて変更させてもよい。更にまた、アイリスリング７０の近傍にＬＥＤ表示装置７２を設け、ＬＥＤ表示装置７２を構成する複数のＬＥＤのうち、現在のＦ値に対応するＬＥＤをＣＰＵ３４により点灯又は点滅制御してもよい。ＬＥＤ表示装置７２に隣接した目盛り板を目盛り表示用ＬＣＤ７４として、その表示用ＬＣＤ７４に表示される数値をコンバータレンズの種類に応じて変更させてもよい。
【図面の簡単な説明】
【００３６】
【図１】本発明の実施の形態に係るレンズ装置の要部側面図
【図２】図１に示したレンズ装置をブロックで示した構成図
【図３】鏡胴から標準コンバータレンズを取り外したレンズ装置の要部側面図
【図４】ワイドコンバータレンズが鏡胴に取り付けられようとするレンズ装置の要部側面図
【図５】ズームレンズの移動曲線の設定例を示した図
【符号の説明】
【００３７】
１０…レンズ装置、１２Ａ…標準コンバータレンズ、１２Ｂ…ワイドコンバータレンズ、１４…鏡胴、１６…フォーカスレンズ、１８…ズームレンズ、２０…絞り、２２…マスターレンズ、２４…カメラ部、２６…ＣＣＤ、２８…撮像回路、３０…電子ビューファインダ、３２…外部映像表示装置、３４…ＣＰＵ、３５…メモリ、３６…ズームリング、３８…ロータリーエンコーダ、４０…ロータリーエンコーダカウンタ、５６…ＬＥＤ表示装置、６０…目盛り表示用ＬＣＤ
【図１】
2006201695.tif 000003
【図２】
2006201695.tif 000004
【図３】
2006201695.tif 000005
【図４】
2006201695.tif 000006
【図５】
2006201695.tif 000007